(57)【特許請求の範囲】
【請求項１】
装置本体に挿脱されるキャディ内に収納された円盤状の記録媒体をシャーシに支持したターンテーブルを介して回転させ、シャーシ上で記録媒体の半径方向に往復移動するピックアップを介して記録媒体に対する情報の記録及び再生を行う情報記録再生装置において、
キャディの挿脱方向に直交する方向におけるシャーシの長さを、キャディの幅よりも短く、かつ、ピックアップの移動量とターンテーブルの径との和よりも長くし、
前記シャーシが、装置内部に挿入されたキャディに対して記録媒体の回転軸方向に往復移動し、キャディの挿脱方向に平行なシャーシの一方の側面及び背面の外側のみに配置された前記シャーシの前記往復移動を案内する移動機構を含むことを特徴とする情報記録再生装置。
【請求項２】
前記記録媒体の中心軸がターンテーブルの回転軸上に一致する位置までキャディが水平方向に移動した後に前記シャーシを記録媒体の回転軸方向に移動させてキャディに接近させるシャーシ動作部材を備えた請求項１に記載の情報記録再生装置。
【請求項３】
前記シャーシ動作部材が、水平部分及び水平部分の一端に斜め上方に連続する傾斜部分とからなりシャーシから突出したピンが嵌入する折曲孔を形成した水平レバーと、記録媒体の中心軸がターンテーブルの回転軸上に一致する位置までキャディが水平方向に移動することによって水平レバーの水平方向の移動の規制を解除する回転レバーと、からなる請求項２に記載の情報記録再生装置。
【発明の詳細な説明】
【０００１】
【産業上の利用分野】
この発明は、光磁気ディスク等の円盤状の記録媒体を収納したキャディが着脱自在に装填され、キャディ内の記録媒体を回転させて情報の記録や再生を行う情報記録再生装置に関する。
【０００２】
【従来の技術】
記録媒体に対して情報の記録や再生を行う情報記録再生装置として、光磁気ディスク等の円盤状の記録媒体を着脱自在に装填するとともに、キャディ内に収納された円盤状の記録媒体を一定速度で回転させつつ記録媒体の表面にピックアップを対向させ、ピックアップから記録媒体に情報の記録や読取を行うようにしたものがある。このような情報記録再生装置では、記録媒体を収納したキャディを装置に対して挿脱自在にするとともに、キャディ内に収納されている記録媒体に回転力を供給するための構成を設ける必要がある。
【０００３】
このため、従来の情報記録再生装置では、図４（Ａ）及び（Ｂ）に示すように、装置本体の内部に配置した薄板状のシャーシ１３１の上方にキャディ１４０の挿脱方向を案内するホルダ１３２をシャーシ１３１の上面に平行な方向及び上下方向に移動自在に配置し、シャーシ１３１の略中央部にモータ１３３の回転軸に固定されたターンテーブル１３４を回転自在に支持し、さらに、ターンテーブル１３４の半径方向にピックアップ１３５を往復移動自在に配置している。また、キャディ１４０の挿入方向に平行なシャーシ１３１及びホルダ１３２の２側面には、ホルダ１３２の動作機構１３６がシャーシ１３１に一体的に設けられている。
【０００４】
このように構成された情報記録再生装置において、キャディ１４０を装置本体の内部に挿入する際には図５（Ａ）に示すようにホルダ１３２はシャーシ１３１の上方に所定の間隙を設けてキャディ１４０の挿入方向の手前側に位置しており、キャディ１４０を装置本体の内部に挿入していくと図５（Ｂ）に示すようにホルダ１３２はキャディ１４０とともに矢印Ａ方向にシャーシ１３１の上面に平行に移動し、キャディ１４０の矢印Ａ方向の移動が完了すると図５（Ｃ）に示すようにホルダ１３２がキャディ１４０とともに矢印Ｂ方向に下降し、ターンテーブル１３４がキャディ１４０に収納されている記録媒体の中心に形成された孔部に嵌合する。
【０００５】
キャディ１４０を装置本体１３０から抜脱する際には、ホルダ１３２はキャディ１４０とともに、図５（Ｃ）に示す状態から図５（Ｂ）に示す状態まで上方に移動し、さらに、図５（Ａ）に示す状態まで前方に移動する。
【０００６】
【発明が解決しようとする課題】
しかしながら、従来の情報記録再生装置では、装置本体の内部にキャディ１４０の下面の全面に対向するシャーシ１３１を固定して配置し、このシャーシ１３１に対してキャディ１４０をホルダ１３２とともに上下方向に移動するようにしていたため、シャーシ１４０の上方にはキャディ１４０の面積と上下方向の移動量との積によって定まる比較的大きな空間が必要となり、シャーシ１３１を含むキャディ１４０の挿脱範囲が大きくなって装置本体の大型化を招く問題がある。
また、キャディ１４０の挿脱方向を案内するホルダ１３２がキャディ１４０とともに移動する際に傾くことを防止して安定した状態で移動させるために、キャディ１４０の挿脱方向に平行なシャーシ１３１の２側面の外側にホルダ１３２の移動方向を規定する動作機構１３６を一体的に備える必要があり、キャディ１４０の挿脱方向に直交する方向におけるシャーシ１３１の長さがキャディ１４０の幅よりも広くなり、シャーシ１３１を含むキャディ１４０の挿脱範囲がさらに大きくなって装置本体がより大型化する。
【０００７】
この発明の目的は、キャディの挿脱方向に直交する方向における長さがキャディの幅よりも十分に小さいシャーシを装置本体内に挿入されたキャディに対して上下方向に移動させる構成を備えることにより、シャーシを含むキャディの挿脱範囲を小さくし、装置本体を小型化できる情報記録再生装置を提供することにある。
【０００８】
【課題を解決するための手段】
請求項１に記載した発明は、装置本体に挿脱されるキャディ内に収納された円盤状の記録媒体をシャーシに支持したターンテーブルを介して回転させ、シャーシ上で記録媒体の半径方向に往復移動するピックアップを介して記録媒体に対する情報の記録及び再生を行う情報記録再生装置において、
キャディの挿脱方向に直交する方向におけるシャーシの長さを、キャディの幅よりも短く、かつ、ピックアップの移動量とターンテーブルの径との和よりも長くし、
前記シャーシが、装置内部に挿入されたキャディに対して記録媒体の回転軸方向に往復移動し、キャディの挿脱方向に平行なシャーシの一方の側面及び背面の外側のみに配置された前記シャーシの前記往復移動を案内する移動機構を含むことを特徴とする。
【０００９】
請求項１に記載した発明においては、シャーシの幅（キャディの挿脱方向に直交する方向におけるシャーシの長さ）がキャディの幅よりも短く、かつ、ピックアップの移動量とターンテーブルの径との和よりも長くされている。したがって、キャディは下面の一部においてシャーシに対向せず、この部分の下方に他の部品を配置することができる空間が形成される。
また、装置内部に挿入されたキャディに対してターンテーブル及びピックアップを支持したシャーシが、キャディの挿脱方向に平行なシャーシの一方の側面及び背面の外側のみに配置された移動機構によって記録媒体の回転軸方向に往復移動する。したがって、キャディの挿脱方向に平行なシャーシの他方の側面に移動機構が存在せず、キャディの挿脱方向に直交する方向の機構部の幅が短くなる。
【００１２】
請求項２に記載した発明は、前記記録媒体の中心軸がターンテーブルの回転軸上に一致する位置までキャディが水平方向に移動した後に前記シャーシを記録媒体の回転軸方向に移動させてキャディに接近させるシャーシ動作部材を備えたことを特徴とする。
【００１３】
請求項２に記載した発明においては、キャディが水平方向にのみ移動するとともに、キャディが水平方向の適正な位置に移動した後にシャーシがシャーシ動作部材によって記録媒体の回転軸方向に移動してキャディに接近する。したがって、キャディをシャーシのターンテーブルに対して相対的に水平方向及び垂直方向（記録媒体の回転軸方向）に移動させる際に、キャディは水平方向にのみ移動するとともにシャーシは垂直方向にのみ移動し、キャディ及びシャーシを移動させるための機構が単純になる。また、キャディの水平方向の移動が完了した後にシャーシが垂直方向に移動してキャディに接近し、キャディ及びシャーシの動作が確実に行われる。
【００１４】
請求項３に記載した発明は、前記シャーシ動作部材が、水平部分及び水平部分の一端に斜め上方に連続する傾斜部分とからなりシャーシから突出したピンが嵌入する折曲孔を形成した水平レバーと、記録媒体の中心軸がターンテーブルの回転軸上に一致する位置までキャディが水平方向に移動することによって水平レバーの水平方向の移動の規制を解除する回転レバーと、からなることを特徴とする。
【００１５】
請求項３に記載した発明においては、キャディの水平方向の移動が完了した後にシャーシを垂直方向に移動させるためのシャーシ動作部材が、水平部分及び水平部分の一端に斜め上方に連続する傾斜部分とからなりシャーシから突出したピンが嵌入する折曲孔を形成した水平レバーと、記録媒体の中心軸がターンテーブルの回転軸上に一致する位置までキャディが水平方向に移動することによって水平レバーの水平方向の移動の規制を解除する回転レバーと、によって構成される。したがって、極めて簡単な構成によってキャディの水平方向の移動が完了した後にシャーシが垂直方向に移動する。
【００１６】
【発明の実施の形態】
図１は、この発明の実施形態に係る情報記録再生装置である光磁気ディスク装置の要部の構成を示す組立図である。この発明の実施形態に係る光磁気ディスク装置の装置本体の内部において、円盤状の光磁気ディスク１０ａを収納したキャディ１０が矢印Ａ及びＡ′方向に挿脱される位置には、シャーシ１、ホルダ２及び取付枠３が配置される。キャディ１０の挿脱方向に直交する方向におけるホルダ２及び取付枠３の長さは、キャディ１０の幅に略等しくされている。これに対して、キャディ１０の挿脱方向に直交する方向におけるシャーシ１の長さは、後述するターンテーブル５の径とキャリッジ６の矢印Ｄ及びＤ′方向の移動範囲との和に略等しくされている。
【００１７】
シャーシ１は、回転軸にターンテーブル５を固定したスピンドルモータ４ａ、光磁気ディスク１０ａに対する情報の書込及び読取を行うピックアップを搭載したキャリッジ６、及び、キャリッジ６に往復移動の駆動力を供給するモータ４ｂを保持しており、一方の側面からピン１１ａ，１１ｂが突出している。ホルダ２は、キャディ１０の挿脱方向に平行な２側面においてキャディ１０を保持して矢印Ａ及びＡ′方向に移動する。ホルダ２には、上面にレバー２１が軸支されており、一方の側面からピン２２ａ，２２ｂが突出している。取付枠３は、一方の側面の内側面にレバー７（この発明の水平レバーに相当する。）を長孔７１ａ，７１ｂとピン３１ａ，３１ｂとの係合によって矢印Ａ及びＡ′方向に移動自在に支持しているとともにレバー９（この発明の回転レバーに相当する。）を軸３２において軸支しており、背面の内側面にレバー８を軸支している。
【００１８】
シャーシ１及びホルダ２は、取付枠３に対して、シャーシ１のピン１１ａ，１１ｂが取付枠３の垂直方向の長孔３５ａ，３５ｂ及びレバー７の折曲孔７２ａ，７２ｂに嵌合し、かつ、シャーシ１のピン１１ｃが取付枠３の垂直方向の長孔３５ｃに嵌合し、ホルダ２のピン２２ａ，２２ｂが取付枠３の長孔３３ａ，３３ｂに嵌合する状態に組立られる。この時、コイルスプリング１２がシャーシ１と取付枠３との間に垂直方向に係止され、コイルスプリング２３がレバー２１と取付枠との間に水平方向に係止され、コイルスプリング７３がレバー７と取付枠３との間に水平方向に係止される。なお、取付枠３に組み立てられたホルダ２の前面は、装置本体の前面に開口したキャディ１０の挿脱口に対向する。
【００１９】
図２は、上記情報記録再生装置におけるローディング状態の平面図及び正面図である。上述のように、装置本体に対するキャディ１０の挿脱方向（矢印Ａ及びＡ′方向）に直交する方向におけるシャーシ１の幅が、ターンテーブル５の径とキャリッジ６の移動範囲との和に略等しくされている。また、シャーシ１は、装置本体内に挿入されたキャディ１０に対して上下方向である矢印Ｂ及びＢ′方向に移動自在にされている。したがって、装置本体内においてホルダ２に保持されたキャディ１０の下面は一部においてシャーシ１に対向しておらず、この部分に装置本体内に収納すべき他の部品を配置することができる。このため、情報記録再生装置を小型化することができる。
【００２０】
また、ホルダ２が上下方向に移動しないため、矢印Ａ及びＡ′方向に平行なホルダ２の２側面の外側のそれぞれにホルダ２の上下方向の移動を案内する動作機構を設ける必要がなく、キャディ１０に対するシャーシ１の上下方向の移動を案内するレバー７及びレバー８をシャーシ１の矢印Ａ及びＡ′方向に平行な一方の側面及び背面の外側に配置しているため、矢印Ａ及びＡ′方向に直交する方向についての挿脱機構の長さを短くすることができ、情報記録再生装置をさらに小型化することができる。
【００２１】
以下に図１及び図３を用いて上記の情報記録再生装置におけるキャディのローディング時及びイジェクト時の動作を説明する。
【００２２】
以上のように構成された情報記録再生装置において、図３（Ａ）に示すように、キャディ１０のローディング時にキャディ１０を装置本体の挿脱口から内部に挿入していくと、キャディ１０はホルダ２に係合した状態で装置内部の背面側に移動し、キャディ１０によりレバー２１の一端の押圧部２１ａが背面側に押圧され、レバー２１はホルダ２においてコイルスプリング２３の弾性力に抗して時計方向に回転する。この回転によりレバー２１の他端に形成された当接部２１ｂが取付枠３に形成された当接片３４に係合しなくなり、レバー２１の延出片２１ｃが取付枠３の当接片３４の側面３４ａに当接し、ホルダ２はコイルスプリング２３の弾性力によって矢印Ａ方向に移動する。この時、ホルダ２はホルダ２から突出したピン２２ａ，２２ｂが嵌入する取付枠３の長孔３３ａ，３３ｂに沿って移動し、図３（Ｂ）に示すように、ピン２２ａ，２２ｂが長孔３３ａ，３３ｂの終端に当接した際にキャディ１０に収納された光磁気ディスク１０ａの中心軸がシャーシ１に備えられたスピンドルモータ４ａの回転軸の上方に一致する位置でホルダ２の矢印Ａ方向の移動が停止する。
【００２３】
キャディ１０を装置内部に挿入していく間において、ホルダ２が矢印Ａ方向に移動する直前に、キャディ１０に形成された切欠部１０ｂにホルダ２に取り付けられた板バネ２４の凸部が嵌入する。この切欠部１０ｂと板バネ２４との嵌合により、キャディ１０はホルダ２とともにコイルスプリング２３の弾性力によって矢印Ａ方向に移動する。この時、切欠部１０ｂに対する板バネ２４の凸部の嵌入状態が不十分である場合には、板バネ２４の先端が取付枠３に軸支されたレバー８の側面８１に当接し、変形によって板バネ２４に生じる弾性力により板バネ２４の凸部は切欠部１０ｂに確実に嵌入するように付勢させる。このように、板バネ２４の先端とレバー８の側面８１との当接によって板バネ２４に弾性力を生じさせ、この弾性力によって板バネ２４の凸部を切欠部１０ｂに確実に嵌入させるようにすることにより、板バネ２４の先端がレバー８の側面８１に当接する前における板バネ２４の弾性力を比較的弱くすることができ、キャディ１０を挿入する際の押し込み力を小さくして操作性を向上することができる。
【００２４】
また、ホルダ２が矢印Ａ方向の移動を停止する直前に、ホルダ２の側面から突出した当接片２５が取付枠３に軸支されたレバー９の当接部９１を押圧する。この当接片２５による当接部９１の押圧によりレバー９が回転し、レバー９の規制片９２がレバー７に形成された当接片７４に当接しなくなり、レバー７はコイルスプリング７３の弾性力により矢印Ａ方向に移動する。なお、レバー９は、キャディ１０が装置内部に挿入されておらずホルダ２が矢印Ａ方向に移動する前においてはホルダ２のピン２２ｂによって回転を規制されており、キャディ１０が装置内部に挿入された後にホルダ２が矢印Ａ方向に移動することによって回転することができる。
【００２５】
レバー７が矢印Ａ方向に移動することにより、レバー７の折曲孔７２ａ，７２ｂに嵌入しているシャーシ１のピン１１ａ，１１ｂが折曲孔７２ａ，７２ｂの傾斜部に達すると、シャーシ１は折曲孔７２ａ，７２ｂの傾斜部に対するピン１１ａ，１１ｂの当接によって上側に付勢される。そして、この付勢力によってレバー７の背面側に形成された折曲孔７５に嵌入していたレバー８のピン８２が、レバー７の矢印Ａ方向の移動によって折曲孔７５の傾斜部に達すると、レバー８はピン８２を突出した一端側においてピン８２の折曲孔７５の傾斜部に対する当接によって下側に付勢されて回転する。この回転によりレバー８の他端がシャーシ１の上面に当接しなくなり、シャーシ８の上側への移動の規制が解除され、ピン１１ａ〜１１ｃを取付枠３の垂直方向の長孔３５ａ〜３５ｃに嵌入したシャーシ１は、コイルスプリング１２の弾性力によって長孔３５ａ〜３５ｃに沿って垂直方向の上方（矢印Ｂ方向）に移動する。
【００２６】
シャーシ１が矢印Ｂ方向に移動すると、シャーシ１の上面に突出した突起１３ａ，１３ｂがキャディ１０の下面に形成された凹部１０ｄ，１０ｅに嵌入し、キャディ１０とシャーシ１との水平方向における位置決めが行われる。また、シャーシ１が矢印Ｂ方向に移動すると、シャーシ１の上面に取り付けられたパッド１４ａ〜１４ｄがキャディ１０の下面に当接し、キャディ１０とシャーシ１との垂直方向における位置決めが行われる。このようにして、図３（Ｃ）に示すように、キャディ１０とシャーシ１との水平方向及び垂直方向の位置決めが行われることにより、キャディ１０内に収納された光磁気ディスク１０ａがシャーシ１に搭載されているターンテーブル５にチャッキングされ、光磁気ディスク１０ａはターンテーブル５を介してスピンドルモータ４ａによって回転駆動される。
【００２７】
以上のようにして、キャディ１０のローディング時には、装置内部に挿入されたキャディ１０に押圧されたレバー２１が回転することによって矢印Ａ方向の移動の規制が解除されたホルダ２がスプリング２３の弾性力によって矢印Ａ方向に移動し、矢印Ａ方向に移動するホルダ２の当接片２５がレバー９を回転させることによって矢印Ａ方向の移動の規制が解除されたレバー７がスプリング７３の弾性力によって矢印Ａ方向に移動し、矢印Ａ方向に移動するレバー７とスプリング１２の弾性力とによってシャーシ１が矢印Ｂ方向に移動する。即ち、ホルダ２が矢印Ａ方向に移動することによってレバー７の矢印Ａ方向の移動の規制を解除するレバー９を設けることにより、キャディ１０がホルダ２とともに矢印Ａ方向の移動を完了した後にシャーシ１が矢印Ｂ方向の移動を開始する。したがって、シャーシ１は、水平方向について適正なローディング位置に移動したキャディ１０に対して下側から当接する。
【００２８】
なお、キャディ１０がホルダ２とともに矢印Ａ方向に移動する間に、キャディ１０においてシャッタ１０ｃが矢印Ａ′方向に移動し、キャディ１０の下面において光磁気ディスク１０ａが露出する。このため、パッド１４ａ〜１４ｄがキャディ１０の下面に当接する位置までシャーシ１が矢印Ｂ方向に移動することにより、シャーシ１のキャリッジ６に搭載されたピックアップ６１が所定の間隙を設けて光磁気ディスクの下面に対向する。したがって、シャーシ１においてキャリッジ６を矢印Ｄ又はＤ′方向に移動させることにより、ピックアップ６１を介して光磁気ディスク１０ａの任意の位置に対して上方の読取／書込を行うことができる。
【００２９】
キャディ１０のイジェクト時には、上述したローディング時の動作と逆順序及び逆方向の動作が行われる。即ち、レバー７に対して矢印Ａ′方向の付勢力を作用させると、レバー７の折曲孔７２ａ，７２ｂの傾斜部に当接するシャーシ１のピン１１ａ，１１ｂを介してシャーシ１に下方向の力が作用する。また、レバー７の折曲孔７５の傾斜部に当接するレバー８のピン８２を介してレバー８が矢印Ｃ′方向に回転し、取付枠３の長孔３５ｃに嵌合しているシャーシ１のピン１１ｃを下方に押圧する。これらによってシャーシ１は、スプリング１２の弾性力に抗して取付枠３の長孔３５ａ〜３５ｃに沿って垂直下方の矢印Ｂ′方向に移動する。レバー７の矢印Ａ′方向の移動が継続されることにより、シャーシ１のピン１１ａ，１１ｂがレバー７の折曲孔７２ａ，７２ｂの水平部に達すると、シャーシ１の矢印Ｂ′方向の移動が停止し、この位置でシャーシ１の垂直方向の位置が固定的に維持される。
【００３０】
さらに、レバー７に矢印Ａ′方向の付勢力を継続して作用させると、レバー７の上面に形成された当接部７６がホルダ２のピン２２ｂに当接し、ホルダ２が矢印Ａ′方向に移動する。このホルダ２の矢印Ａ′方向の移動によりレバー２１の延出片２１ｃが取付枠３の当接片３４の側面３４ａに当接しなくなり、レバー２１はスプリング２３の弾性力によって反時計方向に回転する。このレバー２１の反時計方向の回転により、キャディ１０はレバー２１の押圧部２１ａによってホルダ２から矢印Ａ′方向に押し出され、キャディ１０が装置内部から排出される。
【００３１】
レバー２１の回転によるキャディ１０の排出が開始されるのと略同時に、ホルダ２のピン２２ｂがレバー９に係合し、レバー９の回転が規制される。キャディ１０の排出が完了した後にレバー７に対する矢印Ａ′方向の付勢力の作用を停止すると、レバー７は突起７４がレバー９の阻止片９２に当接するまでスプリング７３の弾性力によって矢印Ａ方向に移動して停止する。また、レバー７がスプリング７３の弾性力によって矢印Ａ方向に移動すると、ホルダ２がスプリング２３の弾性力によって矢印Ａ方向に移動し、ホルダ２に軸支されたレバー２１の当接部２１ｂが取付枠３に形成された当接片３４に係合して停止する。
【００３２】
なお、本実施の形態では、装置本体に対するキャディ１０の挿脱方向に直交する方向におけるシャーシ１の長さを、ターンテーブル５の径とキャリッジ６の移動範囲との和に略等しくしたが、これに限定されるものではなく、ターンテーブル５の径とキャリッジ６の移動範囲との和より長く、かつ、キャディ１０の幅に比較して十分に短くすれば良い。
【００３３】
【発明の効果】
請求項１に記載した発明によれば、シャーシの幅をキャディの幅よりも短く、かつ、ピックアップの移動量とターンテーブルの径との和よりも長くすることにより、キャディが下面の一部の下方に他の部品を配置することができる空間を形成することができ、装置を小型化することができる。
また、装置内部に挿入されたキャディに対してターンテーブル及びピックアップを支持したシャーシを、キャディの挿脱方向に平行なシャーシの一方の側面及び背面の外側のみに配置された移動機構によって記録媒体の回転軸方向に往復移動させることにより、キャディの挿脱方向に平行なシャーシの他方の側面に移動機構を配置する必要をなくし、キャディの挿脱方向に直交する方向の機構部の幅を短くすることができるため、より大きな空間を形成することができ、装置をさらに小型化することができる。
【００３５】
請求項２に記載した発明によれば、キャディを水平方向にのみ移動させるとともに、キャディが水平方向の適正な位置に移動した後にシャーシをシャーシ動作部材によって記録媒体の回転軸方向に移動させてキャディに接近させることにより、キャディをシャーシのターンテーブルに対して相対的に水平方向及び垂直方向（記録媒体の回転軸方向）に移動させる際に、キャディを水平方向にのみ移動させるとともに、シャーシを垂直方向にのみ移動させるようにし、キャディ及びシャーシを移動させるための機構を単純にすることができる。また、キャディの水平方向の移動が完了した後にシャーシを垂直方向に移動させてキャディに接近させるようにし、キャディ及びシャーシの動作を確実に行うことができる。
【００３６】
請求項３に記載した発明によれば、水平部分及び水平部分の一端に斜め上方に連続する傾斜部分とからなりシャーシから突出したピンが嵌入する折曲孔を形成した水平レバーと、記録媒体の中心軸がターンテーブルの回転軸上に一致する位置までキャディが水平方向に移動することによって水平レバーの水平方向の移動の規制を解除する回転レバーと、を備えることにより、極めて簡単な構成によってキャディの水平方向の移動が完了した後にシャーシを垂直方向に移動させることができる。
【図面の簡単な説明】
【図１】この発明の実施形態に係る情報記録再生装置である光磁気ディスク装置の要部の構成を示す組立図である。
【図２】上記情報記録再生装置におけるキャディのローディング状態の平面図及び正面図である。
【図３】上記情報記録再生装置におけるキャディのローディング状態の動作を説明する側面図である。
【図４】従来の情報記録再生装置におけるキャディのローディング状態の平面図及び正面図である。
【図５】従来の情報記録再生装置におけるキャディのローディング状態の動作を説明する側面図である。
【符号の説明】
１−シャーシ
２−ホルダ
３−取付枠
５−ターンテーブル
６−キャリッジ
７−レバー（水平レバー）
９−レバー（回転レバー）
１０−キャディ
１０ａ−光磁気ディスク（記録媒体）
６１−ピックアップ
【図１】
0003670143.tif 000002
【図２】
0003670143.tif 000003
【図３】
0003670143.tif 000004
【図４】
0003670143.tif 000005
【図５】
0003670143.tif 000006